(57)【要約】【課題】軽量で且つ手軽に組み立てることができ、被写体に向けてより平行光に近い光を効率良く照射できる照明装置を提供する。【解決手段】照明装置１の光源は、複数のＬＥＤ発光素子であるＬＥＤパッケージ４３を支持板４１上に分散配置した点光源の集合体としての平面光源４０である。平面光源４０からは光が満偏なく発光され、平面光源４０から外側周囲に拡散しようとする光はボックス状フード２０の反射材が施された内面２４によって反射され、全体として被写体に向かって平行光に近いものとなるとともに、照射効率が高められる。平面光源４０は、支持板４１がボックス状フード２０の布生地の内面２４に面ファスナー５０により付着される。平面光源４０は、軽量で持ち運びや取扱いが易しく、ボックス状フード２０に対する組立と分解も面ファスナー５０により簡単に行うことができる。【選択図】図１
2015108787.tif 000002
【特許請求の範囲】
【請求項１】
内面に反射材が施されている布生地と当該布生地をその展開状態でボックス状の形状に支える骨部材とを備えているボックス状フードと、
前記ボックス状フードの後側に配設されており且つ当該ボックス状フードを支える電源・制御ボックスと、
前記電源・制御ボックスに電気的に接続されており且つ前記ボックス状フード内に配置されている光源とを備えており、
前記光源は、複数のＬＥＤ発光素子を支持板上に分散配置した平面光源であり、
前記平面光源は、前記支持板が前記ボックス状フードの内面に面ファスナーにより着脱可能に付着されていることを特徴とする照明装置。
【請求項２】
前記面ファスナーを構成する一方のシートは、前記支持板の少なくとも対向する二辺に取り付けられており、前記面ファスナーを構成する他方のシートは、前記ボックス状フードの内面に取り付けられていることを特徴とする請求項１に記載の照明装置。
【請求項３】
前記支持板の表面は、アルミニウム反射面に形成されていることを特徴とする請求項１又は２に記載の照明装置。
【請求項４】
前記ボックス状フードは、前記展開状態において、開口部分が矩形に開くとともに当該開口部分から後方に角錐状の形状に窄む胴壁部と、当該胴壁部から後方に窄む後壁部とに形成されており、
前記電源・制御ボックスは、前記ボックス状フードの前記後壁部が取り付けられることで前記ボックス状フードを支えており、
前記平面光源は、前記胴壁部の奥行の半分より後方の位置に取り付けられていることを特徴とする請求項１〜３のいずれか一項に記載の照明装置。
【請求項５】
前記電源・制御ボックスは、脚と伸縮自在な支柱とを備えているスタンドの上端部に、ピッチ角とヨー角とを調節可能に取り付けられていることを特徴とする請求項１〜４のいずれか一項に記載の照明装置。
【発明の詳細な説明】
【技術分野】
【０００１】
この発明は、フォトスタジオ（写真館）、各種品物の展示場、演劇場、写真やビデオの撮影現場等において、被写体の照明に用いられる照明装置、特に光源から放射された光を反射するフードを用いた照明装置に関する。
【背景技術】
【０００２】
従来、例えばフォトスタジオ（写真館）においては、カメラによる被写体の撮影の際には、ストロボ、アンブレラ、ソフトボックス等の各種の照明機材が用いられている。照明機材には、写真撮影用のエレクトロニックフラッシュのような瞬間発光タイプの照明機材と、動画撮影などにも使える白熱電球を使った常点灯タイプの照明機材とがある。ストロボは、白熱電球を使った常点灯機材として最も手軽な光源であるが、ストロボからの直接光は最もコントラストが高く硬質な質感を与えるとされている。また、ストロボはほぼ点光源であることから、光が放射状に拡散するために、背後の壁面前に居る人物等の被写体については、撮影画像において被写体の輪郭に沿って濃い影が生じやすい。
【０００３】
ストロボからの光照射で撮影した場合よりもソフト感のある撮影画像を得るために、パラソルとも称されるアンブレラ等の反射機能を備えた照明機材がある。アンブレラの放物焦点又はその近傍に電球状の点光源を配置し、点光源から放射された光をアンブレラの内面の銀色の反射材に反射させることで、柔らかい光を被写体に向けて照射することが可能になる。アンブレラは手軽な照明機材ではあるが、アンブレラからの反射光は被写体に向かうのみならず周囲に拡散し易いので、太陽光に近いような平行光を実現できないばかりか、消費電力に対する光量の効率（照射効率）が悪く、光量不足にも陥りやすい。
【０００４】
そこで、光を周囲に拡散させることなく被写体に向かってより集め、且つなるべく平行光になるように光を照射するために、ソフトボックスと称されるフードを用いた照明機材がある。この照明機材は、テントや船の帆に用いられるような厚手の生地であって内面に反射材が施されている布生地と当該布生地をボックス状の形状に支える骨部材とから作られていて前面に矩形に開く開口部を有するボックス状のフードと、当該フードの後方中心に配置された電源・制御ボックスと、当該電源・制御ボックスの先端に取り付けられており且つ前記フードの後方から貫通して当該フードの最後部中央に配置されている白熱電球のような光源とを備えて構成されている。
【０００５】
この照明機材において、光源はフードの最後部中央に配置されている点光源とみなし得る光源であり、光源から放射された光のうちフードの内面に施された反射材で反射された光は開口部からあまり拡散することなく被写体を照射する。したがって、この照明機材によれば、被写体をストロボよりも格段にソフト感のある撮影画像を得ることができる。また、フードの開口部から周囲へ拡散する光が少ないので照射効率が高く、光量不足になることも少ない。なお、ソフトボックスには、光源を前向きに配置して光源が発光した光を直接の被写体に向かって照射する直接式と、光源を後ろ向きに配置して光源が発光した光をフードの内面の反射材で反射して被写体に向かって照射する光源間接式とがある。
【０００６】
しかしながら、ソフトボックスを用いる照明機材は、光源が点光源のような電球を用いることが至極一般的であると認識されており、直接式の場合には点光源から発光される光の一部は被写体を直接に照射するので、撮影画像において被写体の輪郭に沿って影が比較的出やすい、という問題がある。また、間接式の場合には、そうした輪郭は比較的出にくいが、直接式の場合よりも照射効率が低下するのは避けられない。
【０００７】
照明装置用の反射フードの例として、引用文献１に開示されているものがある。この反射フードは、一光源から放射される光を反射させるフードであって、放射曲面状の形状を有しており、その一部に、カメラアングル用切込みを形成しているものである。カメラアングル用切込みにカメラレンズを設置して被写体を撮影可能にしている。カメラレンズを設置しない場合には、カメラアングル用切込みをカバーにて塞ぐようにしている。
【先行技術文献】
【特許文献】
【０００８】
【特許文献１】特開２００７−２７２２４０号公報
【発明の概要】
【発明が解決しようとする課題】
【０００９】
そこで、上記のような照明機材であるソフトボックス形式の照明装置において、軽量で且つ手軽に構成されており、被写体に向けてより平行光に近い光を効率良く照射できるようにする点で解決すべき課題がある。
【００１０】
この発明の目的は、上記課題を解決することであり、軽量で且つ手軽に組み立てることができ、被写体に向けてより平行光に近い光を効率良く照射できる照明装置を提供することである。
【課題を解決するための手段】
【００１１】
上記の課題を解決するため、この発明による照明装置は、内面に反射材が施されている布生地と当該布生地をその展開状態でボックス状の形状に支える骨部材とを備えているボックス状フードと、前記ボックス状フードの後側に配設されており且つ当該ボックス状フードを支える電源・制御ボックスと、前記電源・制御ボックスに電気的に接続されており且つ前記ボックス状フード内に配置されている光源とを備えており、前記光源は、複数のＬＥＤ発光素子を支持板上に分散配置した平面光源であり、前記平面光源は、前記支持板が前記ボックス状フードの内面に面ファスナーにより着脱可能に付着されていることを特徴としている。
【００１２】
この照明装置によれば、用いている光源は、一つの点光源ではなく、複数のＬＥＤ発光素子を支持板上に分散配置した点光源の集合体としての平面光源であるので、そうした平面光源からは光が満偏なく発光され、また平面光源から外側周囲に拡散しようとする光はボックス状フードの内面に施された反射材によって反射され、全体としてより被写体に向かって平行光に近いものとなるとともに、照射効率を高めることができる。そうした光の光照射を受ける被写体の撮影画像は、被写体の輪郭をよりソフトな質感に仕上げることができる。また、平面光源は、支持板がボックス状フードの布生地内面に面ファスナーにより着脱可能に付着可能であるので、前面の開口部が矩形に展開されたボックス状フードに対して、その布生地に面ファスナーを介して容易に付着させることができるとともに、支持板がボックス状フードの布生地に付着された平面光源は面ファスナーを布生地から剥がすことにより、ボックス状フードから容易に取り外すこともできる。更に、平明光源はＬＥＤ発光素子が分散配置された支持板で構成されているので、軽量で持ち運びや取扱いがし易く、ボックス状フードに対する組立と分解も面ファスナーにより簡単に行うことができる。
【００１３】
この照明装置において、前記面ファスナーを構成する一方のシートを前記支持板の少なくとも対向する二辺に取り付け、前記面ファスナーを構成する他方のシートを前記ボックス状フードの内面に取り付けることができる。面ファスナーを構成する一方のシートが取り付けられる支持板の対向する二辺は、上辺と下辺又は左辺と右辺とであり、四辺の全てに貼り付けてもよい。ボックス状フードの内面において、面ファスナーを構成する他方のシートが取り付けられる領域は、一方のシートが一部に掛かる領域で充分である。支持板において面ファスナーの取り付け位置をこのように定めることにより、支持板を布生地に付着させるときの付着箇所が限られ、ボックス状フードに対する貼り付けや貼り剥がしをし易くすることができる。
【００１４】
この照明装置において、前記支持板の表面は、アルミニウム反射面に形成することができる。支持板のアルミニウム反射面は、薄いアルミニウム板を支持板基材に貼り付けること、又はアルミニウムを蒸着した蒸着板そのもの、或いはそうした蒸着材を支持板基材に貼り付けること等、適宜な構造で得ることができる。ＬＥＤ発光素子から発せられた光は、後方に向かうものがあったとしても、或いはボックス状フードから反射して後方に向かうものがあっても、それらの光を前方の被写体に向かって反射させることができる。
【００１５】
この照明装置において、前記ボックス状フードは、前記展開状態において、開口部分が矩形に開くとともに当該開口部分から後方に角錐状の形状に窄む胴壁部と、当該胴壁部から後方に窄む後壁部とに形成されており、前記電源・制御ボックスは、前記ボックス状フードの前記後壁部が取り付けられることで前記ボックス状フードを支えており、前記平面光源は、前記胴壁部の奥行の半分より後方の位置に取り付けるられているとすることができる。展開状態にあるボックス状フードは、前方の開口部分が矩形に開く胴壁部と後方に窄む後壁部とで構成されており、平面光源を胴壁部の奥行の半分より後方の位置に取り付けることで、ボックス状フードの胴壁部の内面に施された反射材の光反射作用を最大限に機能させることができる。
【００１６】
この照明装置において、前記電源・制御ボックスは、脚と伸縮自在な支柱とを備えているスタンドの上端部に、ピッチ角とヨー角とを調節可能に取り付けることができる。脚と伸縮自在な支柱とスタンドを利用し、スタンドに対して、電源・制御ボックスをピッチ角とヨー角とを調節可能に取り付けることすることにより、平面光源の高さと姿勢を容易に変更することができ、被写体に向けて適した照明が当てられる。
【発明の効果】
【００１７】
この発明による照明装置は、上記のように構成されているので、光源が、一つの点光源ではなく、複数のＬＥＤ発光素子を支持板上に分散配置した点光源の集合体としての平面光源となり、被写体はそうした平面光源から満遍なく発光され、平面光源から外側周囲に拡散しようとする光は、フードの内面に施された反射材によって反射されて被写体に向うので、被写体はこれらの光の光照射を受けることで、撮影画像が全体として被写体の輪郭をソフトな質感に仕上げることができる。平面光源からの光は無駄なく被写体に向けられるので、照射効率を高めることができる。また、平面光源は、支持板がボックス状フードの布生地内面に面ファスナーにより着脱可能に付着可能であるので、展開されたボックス状フードに対して容易に取り付けることができるとともに、布生地から面ファスナーを剥がして平面光源をボックス状フードから容易に取り外すこともできる。
【００１８】
更に、この照明装置によれば、光源にＬＥＤ発光素子を用いているので、非常に軽量であり、運搬性が良い。また、平面光源のボックス状フードに対する着脱が非常に簡単であって組立て・分解作業を簡単で且つ容易に行うことができる。これによって、本照明装置は、スタジオ外、例えば、野外や、通常は照明装置が備わっていない臨時の展示場等でも運搬して、展示・撮影現場で用いることができる。
【図面の簡単な説明】
【００１９】
【図１】図１は、本発明による照明装置の一実施例の全体外観を略正面から見た斜視図である。
【図２】図２は、図１に示す照明装置を略側方から見た斜視図である。
【図３】図３は、図１に示す照明装置を略後方から見た斜視図である。
【図４】図４は、図１に示す照明装置に用いられる平面光源を示す斜視図である。
【図５】図５は、図１に示す照明装置に用いられる電源・制御装置を横転状態で示す斜視図である。
【図６】図６は、図１に示す照明装置に用いられる折り畳まれた状態のボックス状フードとボックス状フードを電源・制御装置に取り付けるための装着リングとを示す斜視図である。
【発明を実施するための形態】
【００２０】
以下、添付した図面に基づいて、この発明による照明装置の実施例を説明する。図１は本発明による照明装置の一実施例の全体外観を略正面から見た斜視図、図２は図１に示す照明装置を略側方から見た斜視図、図３は同じく略後方から見た斜視図である。図１〜図３に示す照明装置は、本発明を写真スタジオ等で被写体に光を照射するのに用いられる照明スタンドの形態に具体化した例を示している。
【００２１】
図１〜図３に示す照明装置１は、例えば３本の脚部３と、これら脚部３によって中心に起立状態に支持される入れ子式に伸縮可能な１本の支柱４とから成るスタンド２を備えている。スタンド２は、脚部３を窄める又は展開させ、支柱４を短縮する又は伸長させ、そそて脚部３と支柱４とを取付け又は分離することで、全体として分解・組立て可能であり、それ自体の構造は既知のものである。スタンド２において、支柱４は、その下端部５が各脚部３に対してリンク６によって関節式に連結されることで、脚部３に支えられている。支柱４においては、下側支柱４ａに対して細身の上側支柱４ｂが入れ子式に上下方向に伸長・後退可能であり、締め付け具４ｃで締め付けたときに下側支柱４ａに対して上側支柱４ｂが固定されて、スタンド２の高さが定められる。脚部３を窄め且つ支柱４を短縮させた状態では、スタンド２は持ち運びに便利となっている。
【００２２】
スタンド２の上端部７（上側支柱４ｂの上端部）には、電源・制御ボックス１０が取り外し可能に取り付けられる。電源・制御ボックス１０の一例が図５に横転状態で示されている。電源・制御ボックス１０は、電源回路及び制御回路を内蔵する直方体状のケース１１と、ケース１１をスタンド２の上端部７に装着するための装着部１２とを備えている。電源回路及び制御回路は、例えば、所定の電圧の範囲内で、電流制限抵抗を切り替えることで電流の大きさを変えることにより、ＬＥＤ照明の光出力を変更可能にするものである。ケース１１の裏面１１ａには、電源コードの接続部分１３と、接続部分１３に繋がっていて電源のオン・オフを操作する電源スイッチ１４ａと、電源スイッチ１４ａに接続されていてＬＥＤ発光素子が発光する光量を制御するツマミとしての光量調整ノブ１４ｂと、光量調整ノブ１４ｂに接続されたモジュールスイッチ１５とが設けられている。モジュールスイッチ１５は、後述するＬＥＤモジュール４３の三つのモジュールグループ４３ａ，４３ｂ，４３ｃにそれぞれ対応したモジュールスイッチ１５ａ，１５ｂ，１５ｃから成っており、モジュールスイッチ１５ａ，１５ｂ又は１５ｃをオン・オフ操作することで点灯するモジュールグループ４３ａ，４３ｂ又は４３ｃを選択することができ、更に光量調整ノブ１４ｂを操作することで、点灯を選択したモジュールグループ４３ａ，４３ｂ又は４３ｃの発光光量を調整することができる。
【００２３】
電源・制御ボックス１０の装着部１２は、ケース１１の底面１１ｂに設けられており、ケース１１の底面１１ｂに取り付けられていて電源・制御ボックス１０をヨー軸回り（左右方向）に旋回可能にする旋回台機構１６と、旋回台機構１６に軸支持されたピッチ軸回りの回転支持機構１７とを備えている。回転支持機構１７は、旋回台機構１６の一対のブラケット１６ａ，１６ａに軸支持されている水平方向に延びるピッチ軸１７ａと、ピッチ軸１７ａをブラケット１６ａ，１６ａに対して固定及び固定解除の操作を行う操作レバー１７ｂと、ピッチ軸１７ａに取り付けられていてスタンド２の上端部７に差し込まれる縦軸１７ｃとを備えている。また、電源・制御ボックス１０は、詳細は後述するが、ボックス状フード２０の取り付けと支持の役割を担うとともに、光源に電気を供給するための配線が中を通って延びる先端円筒部１８を備えている。先端円筒部１８の筒外面には、ボックス状フード２０を取り付けるために用いられる装着リング３０（詳細を後述する）と係合する複数の突起１９が突設されている。
【００２４】
縦軸１７ｃをスタンド２の上端部７に差し込んだ状態で操作レバー１７ｂを操作することで、縦軸１７ｃに対して回転支持機構１７の位置決め又はその解除を行うことができる。この操作によって電源・制御ボックス１０のピッチ軸１７ａ回りの姿勢が調節される。更に旋回台機構１６を操作することで、電源・制御ボックス１０のヨー軸回りの姿勢を調節することができる。電源・制御ボックス１０には照明装置１の主要部（後述するボックス状フード２０と平面光源４０）が取り付けられるので、これら二軸（ピッチ軸とヨー軸）回りの角度調節により、ボックス状フード２０と光源４０の姿勢を所望の角度に調節することができる。なお、電源・制御ボックス１０のロール軸回りの姿勢を調節する要請は殆どない。また、電源・制御ボックス１０について説明した姿勢調節構造は一例であって、これに限られず、自在継手とその締付け又は解除をする操作レバーを備えた機構であってもよい。このように、支柱４の長さ調節と二軸（ピッチ軸とヨー軸）の回りの角度を調節することで、ボックス状フード２０及び平面光源４０のスタンド２に対する高さ及び姿勢を所望のものに変更することができる。
【００２５】
ボックス状フード２０は、帆布のようなフレキシブルであるが厚手で丈夫な布生地２１と、布生地２１をその展開状態でボックス状の形状に支える骨部材２２とを備えている。布生地２１は、外面２３を光の反射がない黒色に施されており、内面２４には高純度アルミニウム材等の反射材が塗布又は蒸着等の適宜の手段によって施されている。骨部材２２は、図示の例では、４本の骨から成っていて布生地２１に縫い付けられており、傘の骨の場合と同様、布生地２１を内側から支えて布生地２１を展開形状に保つ作用を奏する。図６（ａ）には、布生地２１を折り畳んだボックス状フード２０が示されている。角骨部材２２の内側端には、ボックス状フード２０を電源・制御ボックス１０の先端円筒部１８に取り付けるために用いられるコネクタ２８（詳細は後述する）が設けられている。ボックス状フード２０を折り畳むことで容積が格段に減じられるので、運搬に都合が良い。
【００２６】
ボックス状フード２０は、図１〜図３に示すように、展開状態では、前方向（光照射方向）に向かって各側壁が次第に広くなるように開き、全体として輪郭が概略四角錐台の形状を呈する胴壁部２５と、胴壁部２５から連続して後方に続いており電源・制御ボックス１０の先端円筒部１８に取付けられる後壁部２７とが形成される。胴壁部２５は、ボックス状フード２０の全奥行きの殆どを占めており、前端において矩形の開口部分２６となって開いている。後壁部２７は、胴壁部２５から後方に向かって電源・制御ボックス１０の先端円筒部１８へと急速に窄んだ形状を呈している。
【００２７】
図５に示すように、電源・制御ボックス１０の先端円筒部１８には、ボックス状フード２０を装着するため、図６（ｂ）に示すような装着リング３０が取り付けられる。装着リング３０は、軸方向長さが短い周胴部３１と、周胴部３１の一側でリング状に広がるフランジ部３２とを備えている。周胴部３１には、その一端から斜めに切り欠かかれた複数の傾斜スリット３３が周方向に等間隔に形成されている。フランジ部３２には、骨部材２２のコネクタ２８（図６（ａ））の寸法に適合した複数（８個）の軸穴部３４が放射方向に延びる態様で設けられている。装着リング３０を先端円筒部１８に嵌めて、先端円筒部１８の筒外面に突設されている突起１９を周胴部３１に形成されている傾斜スリット３３に係合させながら装着リング３０を僅かに回動させることで、装着リング３０が先端円筒部１８に取り付けられる。ボックス状フード２０の骨部材２２のコネクタ２８を、先端円筒部１８に取り付けられ装着リング３０に設けられている軸穴部３３を選んで差し込むことで、ボックス状フード２０が装着リング３０を介して電源・制御ボックス１０の先端円筒部１８に取り付けられる。
【００２８】
ボックス状フード２０内に取り付けられる平面光源４０の例が図４に示されている。平面光源４０は、全体形状が矩形であって表面４２が鏡面アルミニウムのような光反射性の良いアルミニウム面とされた支持板４１と、その上に分散配置された複数個のＬＥＤ発光素子とを備えている。図示の例では、ＬＥＤ発光素子は、ＬＥＤモジュール４３の形態に纏められている。詳細には、バー状に構成された１２個のＬＥＤモジュール４３が縦方向に間隔を置いて並べて配置されており、上下に並ぶ四つのＬＥＤモジュール４３が順に配線４４，４４で直列に接続されて、三つのモジュールグループ４３ａ，４３ｂ，４３ｃを構成している。各モジュールグループ４３ａ，４３ｂ，４３ｃの最も上のＬＥＤモジュール４３の配線４４，４４と最も下のＬＥＤモジュール４３の配線４４，４４とが、先端円筒部１８を通して電源・制御ボックス１０の出力端子（図示せず）に接続可能である。
【００２９】
個々のＬＥＤモジュール４３は、基板４５の上に多数のＬＥＤパッケージ（一つ又は複数のＬＥＤチップをワイヤーや反射板とともに樹脂で封入してリード線で引き出したもの。ＬＥＤ単体とも称される）４６を実装するか又は列状に並べて電気的に接続して配列したものであり、基板４５がネジや接着剤等の適宜の固着手段４７によって支持板４１上に取り付けられる。ＬＥＤモジュール４３の符号４３は、図面の簡素化のためモジュールグループ４３ａについてのみ示す。また、ＬＥＤモジュール４３における基板４５、ＬＥＤパッケージ４６及び符号固着手段４７についても、簡素化のため、一部のＬＥＤモジュール４３にのみ付す。
【００３０】
個々のＬＥＤパッケージ４６が、本発明でのＬＥＤ発光素子となっている。光源をこのように構成することにより、ＬＥＤ発光素子として点光源とみなし得る多数のＬＥＤパッケージ４６が支持板４１に分散配置されることになり、表面４２が光反射性の良いアルミニウム面とされていることとの相乗作用によって、事実上、平面のどこからも発光がなされる平面光源として機能する。ＬＥＤモジュール４３は、砲弾型の発光素子を並べたものであっても良いが、取り扱いの容易さや損傷し難さの観点から、図示のように、シングルチップ又はマルチチップの表面実装型の複数のパッケージ４６を一列等に配置することでモジュール化されたものとするのが好ましい。また、ＬＥＤパッケージ４６の配列は、基板４５上に一列に並べたＬＥＤモジュール４３を平行に並べたものを例示したが、同心状の複数の円や矩形に沿って配置したものであってもよい。更に、モジュールグループについても、場所毎に纏めた形態のみならず分散された形態等、種々の形態にグループ化することができる。
【００３１】
平面光源４０は、ボックス状フード２０の内面に、マジックテープ（登録商標）のような面ファスナー（メカニカルファスナーともいう）５０により着脱可能に付着される。支持板４１の四辺４８のそれぞれには、辺の中央を含む領域に面ファスナー５０の一方のシート５１が、例えば貼り付け等の手段によって取り付けられている。各辺４８におけるシート５１の取り付け領域は、全辺である必要はなく、辺の長さの４分の１程度から３分の１程度の範囲であればよい。また、図示の例では、支持板４１の四辺４８のすべてにシート５１が取り付けられているが、平面光源４０の大きさや重さによっては、少なくとも対向する上下の二辺又は左右の二辺にシート５１を取り付けることで充分な場合もある。ボックス状フード２０の内面２４の、平面光源４０が取り付けられるべき位置をカバーする領域には、一方のシート５１と組み合わせて面ファスナー５０を構成する他方のシート５２が、例えば貼り付け等の手段によって取り付けられている。
【００３２】
面ファスナーは、先端が鉤状に起毛された鉤側シートと、ループ状に密集起毛された相手側のループ側シートとを互いに押し付けることで、鉤とループが引っ掛かって貼り付く構造のファスナーである。支持板４１に取り付けられるシート５１を鉤側又はループ側のシートとし、ボックス状フード２０の布生地２１に取り付けられる側を他方側のシートとすることで、面ファスナー５０が構成される。平面光源４０のボックス状フード２０への取り付けを面ファスナー５０で行うことにより、平面光源４０自体を軽量に構成することができるとともに、平面光源４０をボックス状フード２０の内面に自在に貼付け又は貼り剥がしができ、平面光源４０の取り付け・取り外しの作業が極めて容易になる。なお、いずれの側のシートにもフックとループ両方を混在させることで、鉤面とループ面との区別のない形式の面ファスナーとしてもよい。
【００３３】
照明装置１によれば、光源は、ＬＥＤ発光素子となる多数のＬＥＤパッケージ４６が支持板４１上に配列されているので、事実上、平面光源４０として扱うことができる。したがって、撮影画像をソフト感のある画像とすることができ、点光源の場合のように撮影画像に被写体の周りに影ができる或いは硬質な画像になるというようなことがない。また、照明装置１によれば、支持板４１の表面がアルミニウムのような反射性の高い光反射面であることととの組合せによって前方への光の照射を一層均一に照射することができる。また、平面光源４０をボックス状フード２０の内部の奥方位置に配置するという組合せであるので、平面光源４０から外方へ拡散しようとする光をボックス状フード２０の内面２４に反射させて被写体に向けて光を集めることができ、照射効率を高めることができる。平面光源４０のボックス状フード２０内の位置は、内面２４の光反射の利用を考慮して、ボックス状フード２０の奥行きの後方３分の１程度であるのが好ましい。更に、支持板４１上にＬＥＤパッケージ４６を配列し面ファスナー５０でボックス状フード２０の内面２４に貼り付けるだけで照明装置１の主要部を組み立てることができるので、照明装置１が全体に軽量であって運搬がし易く、野外や展示場・特設場のような写真館のスタジオ以外の場所に運んで、撮影現場での組立・分解が極めて簡単・容易であるので、現場での撮影を簡単・スムーズに行うことができる。
【００３４】
照明装置１においては、電源・制御ボックス１０において光量スイッチ１５を操作してＬＥＤ発光素子への通電量を制御することで、平面光源４０からの照射光量を変更することができる。ＬＥＤ発光素子への通電量を制御することで、ＬＥＤ発光素子の発光量を容易に変動させることができるので、被写体に照射される照射光量を容易に変更することができる。また、平面光源４０の支持板４１は、面ファスナー５０によるボックス状フード２０の内面２４への貼り付けを変えることで付着位置の調整に余裕があるので、平面光源４０のボックス状フード２０に対する姿勢を容易に変更・調整することが可能になる。
【符号の説明】
【００３５】
１  照明装置                ２  スタンド
３  脚部                    ３ａ，３ｂ，３ｃ  脚    ４  支柱
４ａ  下側支柱              ４ｂ  上側支柱          ４ｃ  締め付け具
５  下端部                  ６  リンク              ７  上端部
１０  電源・制御ボックス    １１  ケース      １１ａ  裏面      １１ｂ  底面
１２  装着部                １３  接続部分
１４ａ  電源スイッチ        １４ｂ  光量調整ノブ
１５（１５ａ，１５ｂ，１５ｃ）  モジュールスイッチ
１６  旋回台機構            １６ａ，１６ａ  ブラケット
１７  回転支持機構          １７ａ  ピッチ軸        １７ｂ  操作レバー
１７ｃ  縦軸                １８  先端円筒部        １９  突起
２０  ボックス状フード      ２１  布生地            ２２  骨部材
２３  外面                  ２４  内面
２５  胴壁部                ２６  開口部分          ２７  後壁部
２８  コネクタ
３０  装着リング            ３１  周胴部            ３２  フランジ部
３３  傾斜スリット          ３４  軸穴部
４０  平面光源              ４１  支持板            ４２  表面
４３  ＬＥＤモジュール      ４３ａ，４３ｂ，４３ｃ  モジュールグループ
４４  配線                  ４５  基板              ４６  ＬＥＤパッケージ
４７  固着手段              ４８  四辺
５０  面ファスナー          ５１  一方のシート      ５２  他方のシート
【図１】
2015108787.tif 000003
【図２】
2015108787.tif 000004
【図３】
2015108787.tif 000005
【図４】
2015108787.tif 000006
【図５】
2015108787.tif 000007
【図６】
2015108787.tif 000008